(57)【要約】【課題】中継装置を設置した無線通信システムにおいて、中継信号の一部をクリッピングすることにより、効率的に信号を伝送、中継する無線通信システム、中継装置、無線通信方法及びプログラムを提供すること。【解決手段】無線通信システムには、基地局１と、基地局１と通信を行う端末３とが配置されており、基地局１と端末３との間には中継局２が配置されている。ここで、端末３から基地局１宛の信号を送信する場合、端末３から基地局１宛に送信した信号は、経路Ａ１を通り基地局１に、経路Ａ２を通り中継局２にそれぞれ受信される。中継局２は、受信された信号から一部の周波数信号をクリッピングし、前記基地局に対して中継信号として経路Ａ３を通り送信される。基地局１は、経路Ａ１及び経路Ａ３を通って受信された信号により、端末３と通信を行う。【選択図】図１
2010103589.tif 000002
【特許請求の範囲】
【請求項１】
送信装置と受信装置とが中継装置を介して通信を行う無線通信システムであって、
前記中継装置は、
送信装置から受信装置宛の信号を受信する受信手段と、
前記受信手段により受信された信号のうち、一部の周波数信号をクリッピングし、前記受信装置に対して中継信号として送信する送信手段と、
を備えることを特徴とする無線通信システム。
【請求項２】
前記送信手段は、前記クリッピングされた周波数信号が割り当てられていた帯域に、他の信号を多重して中継信号として送信することを特徴とする請求項１に記載の無線通信システム。
【請求項３】
前記送信手段は、クリッピングは、送信装置と中継装置との間の伝搬路特性に応じて決定されることを特徴とする請求項１に記載の無線通信システム。
【請求項４】
前記クリッピングは、中継装置と受信装置との間の伝搬路特性に応じて決定されることを特徴とする請求項１に記載の無線通信システム。
【請求項５】
前記受信装置は、送信装置から直接届いた周波数信号をバッファに保存し、前記中継装置がクリッピングを施して送信した信号を受信し、前記直接届いた周波数信号と合成することを特徴とする請求項２または請求項３のいずれかに記載の無線通信システム。
【請求項６】
送信装置が送信した信号を受信装置へ中継する中継装置であって、
前記中継装置は、受信した信号を周波数信号に変換するＤＦＴ部と、
前記周波数信号の一部をクリッピングするスペクトルクリッピング部と、
前記クリッピングが施された周波数信号を時間信号に変換するＩＤＦＴ部と、
を備えることを特徴とする中継装置。
【請求項７】
前記スペクトルクリッピング部においてクリッピングされる周波数信号は、中継装置と受信装置の間の伝搬路特性に応じて決定されることを特徴とする請求項６に記載の中継装置。
【請求項８】
送信装置と受信装置が複数の中継装置を介して通信を行う無線通信システムであって、
前記複数の中継装置が、送信装置からの信号をクリッピングして受信装置に中継することを特徴とする無線通信システム。
【請求項９】
前記クリッピングは、前記複数の中継装置各々の間で、異なる周波数の周波数信号をクリッピングするよう制御することを特徴とする無線通信システム。
【請求項１０】
送信装置と受信装置とが中継装置を介して通信を行う無線通信システムにおける無線通信方法であって、
前記中継装置が、
送信装置から受信装置宛の信号を受信するステップと、
受信された信号のうち、一部の周波数信号をクリッピングし、前記受信装置に対して中継信号として送信するステップと、
を含むことを特徴とする無線通信方法。
【請求項１１】
送信装置と受信装置が複数の中継装置を介して通信を行う無線通信システムにおける無線通信方法であって、前記複数の中継装置が、送信装置からの信号をクリッピングして受信装置に中継することを特徴とする無線通信方法。
【請求項１２】
送信装置が送信した信号を受信装置へ中継する中継機能を備えるコンピュータに、
受信した信号を周波数信号に変換するＤＦＴ機能と、
前記周波数信号の一部をクリッピングするスペクトルクリッピング機能と、
前記クリッピングが施された周波数信号を時間信号に変換するＩＤＦＴ機能と、
を実現させるためのプログラム。
【発明の詳細な説明】
【技術分野】
【０００１】
本発明は、送信装置と受信装置が中継装置を介して通信を行う無線通信システム等に関する。
【背景技術】
【０００２】
近年、次世代移動体通信システムの研究が盛んに行われており、システムの周波数利用効率を高めるための方式として、各セルが同じ周波数帯域を使用することで各セルがシステムに割り当てられた帯域全体利用可能な１周波数繰り返しセルラシステムが提案されている。
【０００３】
特に、次世代のセルラシステムでは、使用する無線周波数帯が現在の第三世代（３Ｇ）セルラシステムに比べて高くなるため、これまでの基地局配置ではカバーできるエリアが小さくなるという問題や、新たに次世代のセルラシステムの基地局を新設する場合でもできる限り広いカバレッジエリアが必要となるため、基地局もしくは移動局からの信号を中継することで実効的に基地局がカバーするエリアを広げるリレー局の設置が検討されている（例えば、特許文献１参照）。
【０００４】
図１１に、リレーシステムの概要を示す。同図において、セル内に基地局１０００と中継局１００１が設置され、端末１００２および端末１００３は同一セル内に存在している。ここで、端末１００２はセル内の位置により基地局１０００と中継局１００１の両方に接続可能であり、端末１００３は基地局１０００からの距離が遠く、中継局を介して基地局と通信する。
【０００５】
この場合、端末１００３は従来の中継局を設置しない場合に比べて中継局を介することにより安定した通信を行うことができるようになり、実効的に基地局１０００がカバーするエリアを広げることができる。さらに、端末１００２は基地局１０００へ直接信号を伝送するとともに中継局１００１も介することができるため、複数の経路を経由することによる経路ダイバーシチ効果も得ることができる。
【特許文献１】特開２００７−１６６４２４号公報
【発明の開示】
【発明が解決しようとする課題】
【０００６】
しかしながら、一般的に中継局は基地局１０００と直接接続できない端末（例えば、端末１００３）をカバーすることが必要条件であり、基地局１０００と直接接続できているような端末（例えば、端末１００２）に中継局を占有させると基地局と直接接続できない端末の通信が行えなくなる。そのため、経路ダイバーシチを獲得する目的で中継局を使用する場合には、中継局において出来る限り中継する情報量を減らしつつ最大の経路ダイバーシチを獲得しなければならないという問題があった。
【０００７】
さらに、このような経路ダイバーシチの観点からは、複数の中継局を用いて協力して中継すればより高い伝送特性が得られるものの、複数の中継局を用いる場合には特定の端末が複数の中継局を占有する、即ち他の端末が接続できなくなるため、上述と同様の問題が生じる。
【０００８】
上述した課題に鑑み、本発明の目的とするところは、中継局を設置した無線通信システムにおいて、中継信号の一部をクリッピングすることにより、効率的に信号を伝送、中継する無線通信システム及び中継装置を提供することである。
【課題を解決するための手段】
【０００９】
上述した課題を解決するために、本発明の無線通信システムは、送信装置と受信装置とが中継装置を介して通信を行う無線通信システムであって、前記中継装置は、送信装置から受信装置宛の信号を受信する受信手段と、前記受信手段により受信された信号のうち、一部の周波数信号をクリッピングし、前記受信装置に対して中継信号として送信する送信手段と、を備えることを特徴とする。
【００１０】
また、本発明の無線通信システムにおいて、前記送信手段は、前記クリッピングされた周波数信号が割り当てられていた帯域に、他の信号を多重して中継信号として送信することを特徴とする。
【００１１】
また、本発明の無線通信システムにおいて、前記送信手段は、クリッピングは、送信装置と中継装置との間の伝搬路特性に応じて決定されることを特徴とする。
【００１２】
また、本発明の無線通信システムにおいて、前記クリッピングは、中継装置と受信装置との間の伝搬路特性に応じて決定されることを特徴とする。
【００１３】
また、本発明の無線通信システムにおいて、前記受信装置は、送信装置から直接届いた周波数信号をバッファに保存し、前記中継装置がクリッピングを施して送信した信号を受信し、前記直接届いた周波数信号と合成することを特徴とする。
【００１４】
本発明の中継装置は、送信装置が送信した信号を受信装置へ中継する中継装置であって、前記中継装置は、受信した信号を周波数信号に変換するＤＦＴ部と、前記周波数信号の一部をクリッピングするスペクトルクリッピング部と、前記クリッピングが施された周波数信号を時間信号に変換するＩＤＦＴ部と、を備えることを特徴とする。
【００１５】
また、本発明の中継装置において、前記スペクトルクリッピング部においてクリッピングされる周波数信号は、中継装置と受信装置の間の伝搬路特性に応じて決定されることを特徴とする。
【００１６】
本発明の無線通信システムは、送信装置と受信装置が複数の中継装置を介して通信を行う無線通信システムであって、前記複数の中継装置が、送信装置からの信号をクリッピングして受信装置に中継することを特徴とする。
【００１７】
また、本発明の無線通信システムにおいて、前記クリッピングは、前記複数の中継装置各々の間で、異なる周波数の周波数信号をクリッピングするよう制御することを特徴とする。
【００１８】
本発明の無線通信方法は、送信装置と受信装置とが中継装置を介して通信を行う無線通信システムにおける無線通信方法であって、前記中継装置が、送信装置から受信装置宛の信号を受信するステップと、受信された信号のうち、一部の周波数信号をクリッピングし、前記受信装置に対して中継信号として送信するステップと、を含むことを特徴とする。
【００１９】
本発明の無線通信方法は、送信装置と受信装置が複数の中継装置を介して通信を行う無線通信システムにおける無線通信方法であって、前記複数の中継装置が、送信装置からの信号をクリッピングして受信装置に中継することを特徴とする。
【００２０】
本発明のプログラムは、送信装置が送信した信号を受信装置へ中継する中継機能を備えるコンピュータに、受信した信号を周波数信号に変換するＤＦＴ機能と、前記周波数信号の一部をクリッピングするスペクトルクリッピング機能と、前記クリッピングが施された周波数信号を時間信号に変換するＩＤＦＴ機能と、を実現させることを特徴とする。
【発明の効果】
【００２１】
この発明によれば、中継装置が信号を中継する際、一部のスペクトルを欠落させて送信し、基地局装置で合成するため、受信状況を良好にしつつ他の中継局を必要とする端末も中継可能となり、効率的な中継が可能となる無線通信システムを提供することが可能となる。
【００２２】
さらに、この発明によればスペクトルを欠落させた分そのエネルギーを伝搬路特性の良好な周波数に集中させることができるため、高いエネルギー伝達効率で中継を行うことができる。
【発明を実施するための最良の形態】
【００２３】
以下添付図面を参照しながら、本発明の実施の形態について説明し、本発明の理解に供する。尚、以下の実施の形態は、本発明を具体化した一例であって、本発明の技術的範囲を限定する性格のものではない。
【００２４】
〔実施の形態〕
［第１実施形態］
まず、第１実施形態について説明する。本実施形態では、端末が基地局、中継局の両方と接続している場合を例に説明する。図１に、本実施形態で対象とする通信システムの一例を示す。また、本明細書において、上りの通信、すなわち送信装置として端末を、受信装置として基地局を、中継装置として中継局を例に取り説明するが、下りの通信、すなわち送信装置として基地局、受信装置として端末とした場合でも適用可能なことは勿論である。
【００２５】
図１は、基地局１、中継局２、端末３を含んで構成される通信システムの一例であり、本実施形態では端末３は基地局１及び中継局２と接続している。なお、本実施形態では上り回線を想定し、シングルキャリア方式を用いる例を示しているが、下り回線においてマルチキャリア方式を用いてもよく、上り回線におけるシングルキャリア方式を用いる場合に限定されない。
【００２６】
また、同図において、Ａ１は端末３から基地局１への伝送経路、Ａ２は端末３から中継局２への伝送経路、Ａ３は中継局２から基地局１への伝送経路を示している。ここで、一般的な中継システムでは、端末３が送信したとき、基地局１と中継局２へ同時に送信されることになり、Ａ１とＡ２は同一タイミングでの伝送となる。次に、中継局２から基地局１への送信は、一旦端末３からの信号を中継局２が受信してからになるので、Ａ３は次の伝送機会での伝送となる。
【００２７】
次に、本発明における中継方法について説明する。図２は、各伝送時刻における各経路における送信する周波数信号を示す。まず、離散時刻ｋ−１において、端末３は同一の波形を経路Ａ１と経路Ａ２の経路を用いて基地局１と中継局２に送信する。ここで、同図における信号は周波数信号であるものとしている。この時点で、基地局１は経路Ａ１を経由した受信信号を受信していることになる。
【００２８】
次に、離散時刻ｋにおいて、中継局２は経路Ａ２を経由して受信した受信信号を周波数信号に変換し、一部の周波数信号を欠落させて経路Ａ３により送信する。この信号が離散時刻ｋに示される周波数信号であり、点線で示されている周波数信号を欠落させて中継したことを示している。
【００２９】
ここで、伝送時刻ｋ−１で受信した経路Ａ１の受信信号は基地局１においてバッファされ、経路Ａ３を経由して受信された信号とともに、例えば、最大比合成のような信号の合成処理を行う。これにより、端末３から送信された信号については経路ダイバーシチの利得を得つつ、中継局２で中継する信号の帯域を狭くすることができ、空いた帯域を他の端末の中継や再送に使用することができ、結果的に中継局を用いたさらなる効率化を図ることができる。なお、本実施形態では半分の連続帯域をクリッピングしたが、Ａ３の伝搬路の周波数応答に応じて離散的にクリッピングしてもよいし、基地局での検出が可能なレベルであれば半分の帯域である必要もない。
【００３０】
図３に、中継局２の構成例を示す。中継局２は、受信アンテナ１０と、第１無線部１１と、ＣＰ（Cyclic Prefix：サイクリックプレフィックス）除去部１２と、ＤＦＴ（Discrete Fourier Transform）部１３と、スペクトルクリッピング部１４と、ＩＤＦＴ（Inverse DFT）部１５と、クリッピング情報生成部１６と、多重部１７と、ＣＰ挿入部１８と、第２無線部１９と、送信アンテナ２０とを備えて構成されている。ここでは、周波数軸処理を前提にしているので、送信側でＣＰを付加された信号が送信されるものとしている。
【００３１】
まず、受信アンテナ１０で受信された受信信号は、第１無線部１１により無線周波数からベースバンド信号にダウンコンバートされ、ＣＰ除去部１２によりＣＰを除去される。ＣＰを除去された信号はＤＦＴ部１３により周波数信号に変換され、スペクトルクリッピング部１４により一部の周波数信号をクリッピングする。
【００３２】
クリッピングされた信号はＩＤＦＴ部１５により時間信号に変換されるとともに、どの離散周波数をクリッピングしたかを基地局が把握するために、クリッピングしなかった離散周波数の情報をクリッピング情報生成部１６により生成し、ＩＤＦＴ部１５の出力とともに多重部１７において多重する。
【００３３】
多重された信号はＣＰ挿入部１８によりＣＰを付加され、第２無線部１９により再び無線周波数にアップコンバートし、送信アンテナ２０から送信される。ここで、本発明のポイントとなるスペクトルクリッピング部１４については、基地局１とも直接接続している端末３の信号を中継する際、その情報量を削減して中継局２としか接続できない端末３の無線リソースとして使用することが本発明の主題なので、中継局２、基地局１間の伝搬路の周波数応答により中継局２と基地局１間の伝搬路利得の高い離散周波数を中継に用いるといったクリッピングパターンを決定してもよいし、ランダムに決定してもよい。また、特定のパターンでクリッピングしても構わない。
【００３４】
なお、ここでは、中継局２がクリッピングする周波数を決定したために、基地局１への通知が必要となり、クリッピング情報生成部１６の機能があるが、第２実施形態に例として示す基地局１が中継局２を集中管理する場合には、基地局１から通知されたクリッピング情報に基づいてクリッピングを施せばよいため、必ずしもクリッピング情報生成部１６、多重部１７は必要ない。
【００３５】
図４に、基地局１の一例を示す。基地局１は、受信アンテナ１００と、無線部１０１と、ＣＰ除去部１０２と、クリッピング情報検出部１０３と、ＤＦＴ部１０４と、等化部１０５と、切り替え部１０６と、バッファ１０７と、信号合成部１０８と、ＩＤＦＴ部１０９と、復調部１１０とを備えて構成されている。
【００３６】
受信アンテナ１００で受信された受信信号は、無線部１０１により無線周波数からベースバンド信号にダウンコンバートされる。次に、ＣＰ除去部１０２において受信信号からＣＰを除去され、クリッピング情報検出部１０３によりクリッピング情報が存在するかどうかとクリッピング情報を検出する。
【００３７】
このとき、クリッピング情報が存在しなければ端末３から直接到達した信号であることを把握できるので、切り替え部１０６をバッファ１０７に接続させる。一方、クリッピング情報が検出された場合には、中継局２からの信号であることを把握できるため、切り替え部１０６を合成部１０８に直接接続させると同時にクリッピング情報を分離する。
【００３８】
次に、クリッピング情報検出部１０３からの出力信号はＤＦＴ部１０４により周波数信号に変換され、等化部１０５により伝搬路による歪みを補償される。その後、切り替え部１０６により接続されている方に信号が入力される。
【００３９】
ここで、上述したように切り替え部１０６がバッファ１０７と接続されている場合は端末３から直接到達した信号であるから、中継局２から到達する信号を合成するためにバッファ１０７に保存する。
【００４０】
一方、切り替え部１０６が信号合成部１０８と接続されている場合は、バッファ１０７において保存されている信号と等化部１０５により等化されたクリッピングが施された周波数信号を合成する。
【００４１】
そして、合成された信号はＩＤＦＴ部１０９により時間信号に変換され、復調部１１０により復調される。その後、図示しないが従来の無線通信システムと同様送信ビットを検出する。なお、今回は等化後の信号をバッファしているが、ＤＦＴ部１０４の出力の周波数軸の受信信号をバッファしておき、バッファ内の各受信信号に対して重み付けし、最適合成を行なう等化を施してもよい。
【００４２】
このように、中継局を介する際に基地局と接続している端末に関しては必要以上の情報を中継しないようにすることで他の端末の信号の送信や再送なども行え、高い中継効率を達成することができる。
【００４３】
［第２実施形態］
続いて、第２実施形態について説明する。図５は、第２実施形態の一例を示した図である。本実施形態は、端末は基地局と直接接続しておらず、複数の中継局と接続している場合である。
【００４４】
図５は、基地局２００と、中継局２０１ａ、２０１ｂ、端末２０２からなるセルラシステムの例を示しており、端末２０２は中継局２０１ａ、２０１ｂの両方と接続しているものとしている。なお、端末が２局より多い中継局と接続していても本実施形態は適用可能である。
【００４５】
また、Ａ２１ａ、Ａ２１ｂは端末２０２から中継局２０１ａ、２０１ｂへの伝送経路、Ａ２２ａ、Ａ２２ｂは中継局２０１ａ、２０１ｂへの伝送経路を示している。なお、本実施形態は上り回線を想定しているが、下り回線の場合にも基地局２００と端末２０２の関係が入れ替わるだけなので、適用可能である。
【００４６】
次に、中継方法について述べる。図６に、中継する際の端末が送信した周波数信号の概念を示す。まず、伝送時刻ｋ−１では、端末はＡ２１ａとＡ２１ｂを介して信号を中継局２０１ａ、２０１ｂに送信する。次に、伝送時刻ｋ−１において各中継局では、中継局間で協力し、異なる周波数をクリッピングしてＡ２２ａ、Ａ２２ｂを介して送信する。ここで、中継局間の協力に関しては、中継局間での制御情報のやり取りでもよいし、中継局が基地局と別の回線を用いて接続されている場合には基地局がコーディネーションなどを行うことにより実現されてもよい。
【００４７】
図７に、本実施形態の中継局の構成の一例を示す。ここでは、基地局が中継局を集中管理している場合の中継局装置の一例を示している。中継局は、受信アンテナ３０１と、第１無線部３０２と、ＣＰ除去部３０３と、ＤＦＴ部３０４と、スペクトルクリッピング部３０５と、ＩＤＦＴ部３０６と、ＣＰ挿入部３０７と、第２無線部３０８とを備えて構成されている。
【００４８】
なお、すべてのブロックの基本的な動作は第１実施形態と同一であるが、スペクトルクリッピング部３０５は、集中管理している基地局から送信されたクリッピングを施す周波数の情報を用いてクリッピングがなされる。このとき、中継局間のみの制御情報のやり取りでクリッピングする周波数を設定する場合には、第１実施形態のクリッピング情報生成部１６のようにクリッピング情報を基地局に通信する機能が付加される。
【００４９】
このような処理を行うことで、複数の中継局を使用した協力中継を効率よく行うことができる。ここで、本実施形態では信号帯域の半分をクリッピングするよう制御したが、基地局、中継局間の伝搬路に応じてクリッピングの割合を中継局間で変更してもよい。また、本実施例ではクリッピング情報が少なくなるよう連続帯域をクリッピングする図を示したが、無線伝搬路の周波数選択性を考慮して離散スペクトル単位でクリッピングするかどうかを決定すれば、より高い周波数選択ダイバーシチ効果が得られることから伝送特性もよくなるため、クリッピングパターンを通知するための通知情報によるオーバヘッドを考慮して最適化すればよい。
【００５０】
また、本実施例も各中継局がクリッピングした周波数帯域には他の端末の信号の再送信号や、データ信号を中継するといった用途に用いることができる。
【００５１】
［第３実施形態］
続いて、第３実施形態について説明する。第３実施形態は、端末が基地局と直接接続できず、中継局を介して基地局と通信する際に、中継局と基地局間の伝搬路特性に応じてクリッピングする場合を示している。
【００５２】
図８に、本実施形態で対象とするシステムの一例を示し、図９に各伝送時刻における経路Ａ４１と経路Ａ４２の送信する周波数信号を示す。端末４１２が基地局４１０と通信を行う際、端末４１２は基地局４１０と接続できないために、中継局４１１を介して通信を行っているものとしている。
【００５３】
まず、伝送時刻ｋでは、端末４１２が中継局４１１へ向けて送信する。中継局４１１は、伝送時刻ｋ＋１において基地局４１０に対して一部の周波数をクリッピングして転送する。このとき、クリッピングの方法としてはランダムにクリッピングしてもよいし、中継局、基地局間の伝搬路の周波数特性を把握していれば伝搬路利得の高い周波数だけを伝送に使用して残りをクリッピングしてもよいし、注水定理のように各離散周波数の利得に応じて電力を再配分して送信してもよい。
【００５４】
基地局４１０では、クリッピングされた離散周波数が存在しても、クリッピングされた離散周波数は利得０の伝搬路だとみなして非線形繰り返し処理であるターボ等化技術を用いれば再生できることが知られているため、ターボ等化技術により信号を再生する。
【００５５】
図１０に、基地局４１０の構成の一例を示す。基地局４１０は、受信アンテナ５０１と、無線部５０２と、ＣＰ除去部５０３と、クリッピング情報検出部５０４と、第１ＤＦＴ部５０５と、スペクトル抽出部５０６と、キャンセル部５０７と、等化部５０８と、復調部５０９と、ＩＤＦＴ部５１０と、デインターリーバ５１１と、復号部５１２と、インターリーバ５１３と、ソフトレプリカ生成部５１４と、第２ＤＦＴ部５１５と、等価伝搬路乗算部５１６と、判定部５１７とを備えて構成されている。
【００５６】
なお、基地局４１０の構成から確認できるように、ターボ等化は等化と復号を繰り返すため、中継局４１１から送信される信号は誤り訂正符号化がなされた後、インターリーバにより符号化ビットは並び替えられたものが変調された信号が送信されているものとしている。
【００５７】
受信アンテナ５０１で受信された受信信号は、無線部５０２により無線周波数からベースバンド信号にダウンコンバートされる。次に、ＣＰ除去部５０３によりＣＰを除去され、第１実施形態と同様クリッピング情報を送信する場合には、クリッピング情報検出部５０４によりクリッピング情報を検出する。
【００５８】
次に、クリッピング情報を抽出された受信信号は、第１ＤＦＴ部５０５により周波数信号に変換され、スペクトル抽出部５０６によりクリッピングされていない信号を抽出し、残りのクリッピングされた周波数信号の受信信号を０に置き換える。その後、キャンセル部５０７に入力され、信号をキャンセルする。
【００５９】
このとき、１回目はキャンセル部５０７では何もキャンセルされない。次に、等化部５０８に入力され、キャンセルが施された受信信号の歪みを補償する。等化が施された信号は復調部５０９により符号ビットが０である１であるかの信頼性を定量化した対数尤度比（ＬＬＲ：Log Likelihood Ratio）に分解され、デインターリーバ５１０により変調信号のための並びを元に戻す。デインターリーバ５１０により並びが変更された符号ビットのＬＬＲは、復号部５１１により誤り訂正処理が行われ、より信頼性の高まった符号ビットのＬＬＲが出力される。
【００６０】
得られた符号ビットのＬＬＲは、インターリーバ５１３により再び変調する符号ビットの並びにし、ソフトレプリカ生成部５１４により信頼性に比例した振幅を有するソフトレプリカが生成され、第２ＤＦＴ部５１５により周波数信号のレプリカが生成され、等価伝搬路乗算部５１６に入力され、受信信号のレプリカが生成される。
【００６１】
このとき、クリッピングされた離散周波数は伝搬路の利得をゼロとして扱うため、クリッピング情報検出部５０４からクリッピングが施された周波数の情報を入力している。このように得られた受信信号のレプリカはキャンセル部５０７に入力され、受信信号をキャンセルする。そして再び等化部５０８に入力され、上述の処理を繰り返す。これを任意の回数（例えば、所定の回数や、検出誤りがなくなるまで）繰り返し、最後に判定部５１７により情報ビットを判定する。
【００６２】
このように、中継局がクリッピングを施して中継することにより中継局は他の端末の信号も同時に中継でき、効率のよい中継をすることができる。
【図面の簡単な説明】
【００６３】
【図１】第１実施形態における無線通信システムの概要を示す図である。
【図２】第１実施形態における周波数信号の一例を説明するための図である。
【図３】第１実施形態における中継局の構成を説明するための図である。
【図４】第１実施形態における基地局の構成を説明するための図である。
【図５】第２実施形態における無線通信システムの概要を示す図である。
【図６】第２実施形態における周波数信号の一例を説明するための図である。
【図７】第２実施形態における中継局の構成を説明するための図である。
【図８】第３実施形態における無線通信システムの概要を示す図である。
【図９】第３実施形態における周波数信号の一例を示す図である。
【図１０】第３実施形態における基地局の構成を説明するための図である。
【図１１】従来の無線通信システムの概要を示す図である。
【符号の説明】
【００６４】
１、２００、４１０  基地局
２、２０１ａ、２０１ｂ、４１１  中継局
３、２０２、４１２  端末
【図１】
2010103589.tif 000003
【図２】
2010103589.tif 000004
【図３】
2010103589.tif 000005
【図４】
2010103589.tif 000006
【図５】
2010103589.tif 000007
【図６】
2010103589.tif 000008
【図７】
2010103589.tif 000009
【図８】
2010103589.tif 000010
【図９】
2010103589.tif 000011
【図１０】
2010103589.tif 000012
【図１１】
2010103589.tif 000013